(57)【特許請求の範囲】
【請求項１】
角部が湾曲した矩形状の可撓性幕の外周縁に弾性変形可能な無端フレームが付設された壁部を４枚備え、４枚の前記壁部の側縁が相互に順次連結されてなる筒状の本体部と、
角部が湾曲した矩形状の可撓性幕の外周縁に弾性変形可能な無端フレームが付設され、前記本体部の内部を仕切り前記本体部に着脱される中仕切部とを備え、
前記中仕切部は、両側の側縁部の上部および下部に前記本体部に着脱可能な着脱部を備え、
前記壁部うち少なくとも１つの壁部は、複数の開閉扉を備えた開閉扉壁部であり、
前記開閉扉壁部の内面の上部および下部に、前記中仕切部の前記着脱部が着脱される被着脱部が設けられ、
前記開閉扉壁部に対して向かい合う対向壁部の内面の上部および下部に、前記中仕切部の前記着脱部が着脱される被着脱部が設けられたことを特徴とするパーティション。
【請求項２】
前記中仕切部の前記着脱部および前記本体部の前記被着脱部は、面ファスナーで構成され、
前記中仕切部の前記面ファスナーは、前記中仕切部の両面に、前記中仕切部の前記側縁から延出して設けられ、
前記本体部の前記面ファスナーは、前記壁部の幅方向において横長に設けられていることを特徴とする請求項１に記載のパーティション。
【請求項３】
前記開閉扉壁部は、前記開閉扉を２つ備え、
前記開閉扉壁部および前記対向壁部に設けられた前記被着脱部は、少なくともその一部が、前記壁部の幅方向において、前記開閉扉のうちの一方の前記開閉扉と他方の前記開閉扉の間に位置したことを特徴とする請求項２に記載のパーティション。
【発明の詳細な説明】
【技術分野】
【０００１】
本発明は、緊急災害時等に避難場所として体育館等が使われた場合に、広い空間を間仕切りして、中に複数人の大人が横臥できる程度の空間を形成して、プライバシーを最低限確保すべく設置されるパーティションに関するものである。
【背景技術】
【０００２】
災害時等に避難場所を仕切るためのパーティションとして特許文献１に示されたパーティションがあった。
【先行技術文献】
【特許文献】
【０００３】
【特許文献１】意匠登録第１２２９５４７号公報
【発明の概要】
【発明が解決しようとする課題】
【０００４】
前記特許文献１記載のパーティションでは、角部が湾曲した４枚の矩形状の合成樹脂製幕等の可撓性幕の外周縁挿通部に、鋼製無端ベルトを挿入して４枚の仕切壁を形成し、４枚の仕切壁の両側縁を相互に折畳み可能に連結することにより、４角筒状に形成されており、正面壁に出入用の扉が１つ設けられている。
【０００５】
前記特許文献１記載のパーティションは、折り畳みすることができるように、４角筒状のパーティションの底面の四辺が、略同じ長さの正方形に形成されており、さらにパーティション内で大人が横臥するためには、一辺の長さを大人の身長よりも短くすることはできない。避難時には１つのパーティションは世帯単位で割り当てられることが多いが、複数人の世帯であっても単身世帯であっても、同じスペースが割り当てられ、限りある避難所のスペースを有効に使うことが難しかった。また、１つのパーティション内に複数の単身世帯を割り当てると、プライバシーを保つことが困難であった。さらに、複数人の世帯が１つのパーティションに割り当てられる場合であっても、避難期間が長期化すると、世帯内においても、ある程度のプライバシーを保つ空間が必要とされることがあった。
【０００６】
本発明の目的は、パーティション内を仕切って使用することを可能とし、１つのパーティションに複数名が割り当てられても、相互のプライバシーを確保し居住性を向上させ、さらに１つのパーティションに複数の世帯等を割り当てることを可能として、避難所のスペースを有効に活用することができるパーティションを提供することにある。
【課題を解決するための手段】
【０００７】
上記目的を達成するために、本発明は、角部が湾曲した矩形状の可撓性幕の外周縁に弾性変形可能な無端フレームが付設された壁部を４枚備え、４枚の前記壁部の側縁が相互に順次連結されてなる筒状の本体部と、角部が湾曲した矩形状の可撓性幕の外周縁に弾性変形可能な無端フレームが付設され、前記本体部の内部を仕切り前記本体部に着脱される中仕切部とを備え、前記中仕切部は、両側の側縁部の上部および下部に前記本体部に着脱可能な着脱部を備え、前記壁部うち少なくとも１つの壁部は、複数の開閉扉を備えた開閉扉壁部であり、前記開閉扉壁部の内面の上部および下部に、前記中仕切部の前記着脱部が着脱される被着脱部が設けられ、前記開閉扉壁部に対して向かい合う対向壁部の内面の上部および下部に、前記中仕切部の前記着脱部が着脱される被着脱部が設けられたことを特徴とするパーティションである。
【０００８】
このような構成によれば、本体内部に中仕切部を取付け取り外しすることができるので、パーティション内を仕切って使用することも仕切らずに使用することも可能となり、１つのパーティションに複数名が割り当てられても、相互のプライバシーを確保し居住性を向上させることができる。さらに１つのパーティションに複数の世帯等を割り当てることができるので、限られた避難所のスペースを有効に活用することができる。
【０００９】
さらに、本体部の壁部のうち少なくとも１つの壁部は、複数の開閉扉を備えており、この開閉扉壁部と対向壁部は被着脱部を備えているので、中仕切部を開閉扉により挟まれる位置に取り付けることができるので、パーティション内の仕切られたそれぞれのスペースに、他のスペースを通ることなく出入りすることができる。
【００１０】
また、本体部は角部が湾曲した矩形状の可撓性幕の外周縁に弾性変形可能な無端フレームが付設された壁部が相互に順次連結した筒状であり、中仕切部は角部が湾曲した矩形状の可撓性幕の外周縁に弾性変形可能な無端フレームが付設された壁部に構成されているので、パーティションを使用しないときには、本体部と壁部の両方を容易に折り畳みコンパクトに収納することができる。
【００１１】
前記構成において、前記開閉扉壁部は前記開閉扉を２つ備え、前記開閉扉壁部および前記対向壁部に設けられた前記被着脱部を、少なくともその一部が、前記壁部の幅方向において、前記開閉扉のうちの一方の前記開閉扉と他方の前記開閉扉の間に位置させてもよい。
【００１２】
このような構成によれば、向かい合う開閉扉部と対向壁部の幅方向において、一対の開閉扉の間に位置して中仕切部を取り付けることが可能となり、中仕切部で仕切られたそれぞれのスペースに独立して開閉扉を設けることができる。
【００１３】
前記構成において、前記被着脱部を、前記開閉扉壁部および前記対向壁部の上部および下部に位置させ、前記着脱部を、中仕切部の両側縁部の上部および下部に位置させてもよい。
【００１４】
このような構成によれば、中仕切部の上部と下部を、開閉用扉壁部および対向壁部のそれぞれの上部および下部に取付けることができるので、中仕切部を本体部に確実に取り付けることができるとともに、パーティション内仕切られたスペースのプライバシーをより確保することが可能となる。
【発明の効果】
【００１５】
本発明のパーティションによれば、パーティション内を仕切って使用することが可能となり、１つのパーティションに複数名が割り当てられても、相互のプライバシーを確保し居住性を向上させることができる。さらに１つのパーティションに複数の世帯等を割り当てることが可能となり、避難所のスペースを有効に活用することが可能なパーティションを提供することができる。
【図面の簡単な説明】
【００１６】
【図１】本願発明の一実施形態のパーティションを正面右側斜め上方から見た斜視図である。
【図２】図１に示したパーティションの正面図である。
【図３】図２のIII-III要部拡大断面図である。
【図４】図１に示したパーティションの内部から見た下閉塞布およびシート固定部を示した図である。
【図５】中仕切部単体を示した斜視図である。
【図６】パーティションの本体部の接合部を切り離した状態を示すパーティションの斜視図である。
【図７】パーティションの本体部に中仕切部が取り付けられた状態の要部拡大斜視図である。
【図８】扉部を開いた状態のパーティションの斜視図である。
【図９】中仕切壁を本体部内部から取り外して、後壁部にクリップで固定した状態のパーティションを示す斜視図である。
【図１０】折り畳み過程の１を示す斜視図である。
【図１１】折り畳み過程の２を示す斜視図である。
【図１２】折り畳み過程の３を示す斜視図である。
【図１３】折り畳み過程の４を示す斜視図である。
【図１４】折り畳み過程の５を示す斜視図である。
【図１５】折り畳み過程の６を示す斜視図である。
【図１６】折り畳まれた状態のパーティションおよび収納袋を示した斜視図である。
【発明を実施するための形態】
【００１７】
以下、図１ないし図１６に図示された本発明に係るパーティション１の一実施の形態について説明する。
【００１８】
図１に示されるように、パーティション１は、略矩形状である４枚の壁部３からなる本体部２と、該本体部２の内部を仕切り本体部２に着脱可される中仕切部20を備えている。
【００１９】
本体部２は、前壁部３ａ、右壁部３ｂ、後壁部３ｃ、左壁部３ｄからなる４枚の壁部３を備え、これらの前壁部３ａ、右壁部３ｂ、後壁部３ｃ、左壁部３ｄの各両側縁３ａ１、3ａ２、３ｂ１、３ｂ２、３ｃ１、３ｃ２、３ｄ１、３ｄ２、のうち、側縁３ｂ２と３ｃ１、３ｃ２と３ｄ１、３ｄ２と３ａ１、とは、相互に折畳み可能に順次連結され、開口部が四角形の筒状になっている。側縁のうち、前壁部３ａの右側縁３ａ２と、右壁部３ｂの左側縁３ｂ１とは、接合部14となっており、後述する接合手段としての面ファスナー14ａにより接合されている。
【００２０】
図１に図示されるような４枚の壁部３のそれぞれは、略矩形状に形成されている。壁部３には、略矩形状の可撓性幕４の外周縁に、図３に示されるようなフレーム挿通部４ｅが形成され、そのフレーム挿通部４ｅに、弾性に富み厚さが１〜２mm、幅が５〜10mm程度の弾性変形可能なスチールベルト等の帯状の無端フレーム５が挿入されて構成されている。可撓性幕４は、図２に示されるように、上縁部４ａは上方に向けて若干膨らんで湾曲され、両側縁部４ｃと下縁部４ｂは直線状に形成され、角部４ｄは湾曲して形成されており、無端フレーム５が挿入されると、角部３ｅが湾曲した壁部３が構成される。なお、前記可撓性幕４は、合成樹脂製シートであるが、炭素繊維で補強された合成樹脂製シートや、防水処理が施された布や、遮光性のある布であってもよい。
【００２１】
４枚の壁部３は、側縁上下端の角部３ｅが湾曲した形状に形成されているため、各壁部３の各隣接する側縁の上下端部に空隙部が存在する。図１に示されるように、この上下の空隙部を閉塞するように形成された上閉塞布６および下閉塞布７が取り付けられ、図２に示されるように、壁部３は正面視において略矩形状に近い形状となる。
【００２２】
図１および図４に示されるように、本体部２の下方の四隅に位置する下閉塞布７には、アンカー連結片８が本体部２の外側に向かって縫い付けられている。アンカー連結片８には、地中等に打込まれる図示されないアンカーが必要に応じて挿入されるアンカー挿入孔８ａが設けられている。
【００２３】
さらに、本体部２の下方の四隅の各下閉塞布７には、図４に示されるように、パーティション１の内側に向かって、シート固定部９が設けられており、本体部２の内側の床に敷くためのシート30の四隅を固定することができるようになっている。シート固定部９は、シート30に設けられた掛合孔30ａに係合してシート30を固定するフック部９ｂと、フック部30ｂを下閉塞布７に取り付けるためのフック取付片９ａとを備えており、パーティション１内に敷いたシート30をずれなく確実に固定する。
【００２４】
本体部２の前壁部３ａには、図２に示されるように、正面視において左側に左開閉扉10ａ、右側に右開閉扉10ｂの一対の開閉扉10が設けられており、前壁部３ａは開閉扉10が設けられた開閉扉壁部となっている。開閉扉壁部としての前壁部３ａには、Ｕ字の開放端のそれぞれが中央に向いている一対のＵ字状のファスナー切断縁11が形成され、このＵ字状のファスナー切断縁11にはファスナー12が取り付けられている。ファスナー12は１対のスライダー13を備えており、該スライダー13が相互に離隔または接近されることにより、開閉扉10が開閉可能となっている。本実施の形態では、前壁部３ａに開閉扉10が一対設けられているが、開閉扉10を１つの壁部３に複数個設けても良い。さらに、前記ファスナー切断縁11の形状は、Ｕ字状に限定されるものではなく略矩形状等であってもよい。
【００２５】
また、図１および図６に示されるように、本体部２の前壁部３ａの右側縁３ａ２と、右壁部３ｂの左側縁３ｂ１には、面ファスナー14ａがそれぞれ設けられており、接合・分離が可能な接合部14となっている。本体部２は、図６に示されるように、前壁部３ａの右側縁３ａ２と右壁部３ｂの左側縁３ｂ１の接合部14を分離することにより、前壁部３ａと右壁部３ｂが分離されて、いずれか一方の壁部３を外方に向かって開放することができる。パーティション１がこのように構成されているので、車椅子利用者等のように開閉扉10から出入りすることが困難な者も、パーティション１内に容易に出入りすることが可能となる。なお、前記前壁部３ａ，右壁部３ｂを接合するのは面ファスナー14ａであるが、線ファスナーや接合テープであってもよい。
【００２６】
図２に示されるように、本体部２の壁部３のうち、一対の開閉扉壁部としての前壁部３ａの上縁３ａ３および下縁３ａ４には、前壁部３ａの内面に後述する中仕切部20の着脱部25が着脱される被着脱部15が設けられている。さらに、図６および図７に示されるように、開閉扉壁部としての前壁部３ａに対向する対向壁部である後壁部３ｃの上縁３ｃ３および下縁３ｃ４にも、後壁部３ｃの内面に被着脱部15が設けられている。被着脱部15は、本実施形態では、所定幅のテープ状の面ファスナーが用いられており、長手方向が壁部３の水平方向に向かうように、壁部３の内側に幅方向において略中央に位置するよう取り付けられている。被着脱部15は、図２および図９に示されるように、少なくともその一部が、壁部３の幅方向において、左開閉扉10ａと右開閉扉10ｂの間に位置するように取り付けられている。このように、被着脱部15が取り付けられているので、中仕切部20を左開閉扉10ａと右開閉扉10ｂの間に位置して取り付けることができる。
【００２７】
パーティション１の本体部２の内部を仕切る中仕切部20は、図５に示されるように、壁部３と略同形状に形成された角部21ｄが湾曲された仕切壁部21と、仕切壁部21の上下左右の角部21ｄに取り付けられる仕切布部24とからなっている。
【００２８】
仕切壁部21は、略矩形状の可撓製膜と22の周縁部に設けられたフレーム挿通部22ｅに、弾性に富み厚さが１〜２mm、幅が５〜10mm程度の弾性変形可能なスチールベルト等の帯状の無端フレーム23が挿入されて構成されている。仕切壁部21の上縁部21ａ、下縁部21ｂ、両側縁部21ｃは略直線状に形成され、四隅の角部21ｄは湾曲した形状に形成されている。仕切壁部21の角部21ｄには、仕切壁部21を延伸して、中仕切部20の形状が略四角形になるように仕切布部24が設けられている。
【００２９】
中仕切部20の両側縁部20ｃの上部および下部に位置する仕切布部24のそれぞれには、略矩形状の着脱部25が取り付けられている。図７に示されるように、着脱部25は、面ファスナーにより構成されており、面ファスナーの着脱面25ａが仕切布部24側に向くように、仕切布部24の角部の表面および裏面の両方に縫い付けられている。
【００３０】
このように、本体部２の内側に被着脱部15が設けられ、中仕切部20の四隅に位置する仕切布部24に着脱部25が設けられているので、中仕切部20を本体部２の内側に入れ、中仕切部20を壁部３の前壁部３ａおよび後壁部３ｃの内側に対して略直角となるように向けて、仕切布部24の表裏のそれぞれに縫い付けられた着脱部25を仕切布部24に対して略直角に折り曲げ、着脱部25の着脱面25ａを本体部２の被着脱部15の被着脱面15ａに当接して取り付けられ、中仕切部20は、本体部２に固定される。その後、クリップ等の固定部材26を着脱部25と被着脱部15が重ねあわされた部分に取付けると、着脱部25と被着脱部15がより強固に固定される。
【００３１】
開閉扉10が設けられた開閉扉壁部である前壁部３ａと、開閉扉壁部に対向する対向壁部である後壁部３ｃに対して略直角に中仕切部20が取り付けられて、本体部２は、図１に示されるように、左側のスペースＳ１と、右側のスペースＳ２に仕切られる。被着脱部15は、図２および図９に示されるように、少なくともその一部が、前壁部３ａの幅方向において、左開閉扉10ａと右開閉扉10ｂの間に位置するように取り付けられているので、中仕切部20を本体部２の左開閉扉10ａと右開閉扉10ｂの間に位置するように取付けることができ、スペースＳ１とスペースＳ２のそれぞれに開閉扉10が設けられる。本実施形態のパーティション１はこのように構成されているので、スペースＳ１内には左開閉扉10ａから出入りすることができ、スペースＳ２内には、右開閉扉10ｂから出入りをすることができ、それぞれ他のスペースを通過することがないので、複数名が１つのパーティション１内に割り当てられても、プライバシーを保つことが可能となる。
【００３２】
また、パーティション１を仕切る必要が無い場合には、中仕切部20の着脱部25を本体部２の被着脱部15から取り外し、パーティション１内を広く使用することができる。取り外された中仕切部20は、図９に示されるように、後壁部３ｃ（あるいは右壁部３ｂ、左壁部３ｄでもよい）の外側（あるいは内側）に移動させ、後壁部３ｃ（あるいは右壁部３ｂ、左壁部３ｄでもよい）に、クリップ等の固定部材26で止めつけておくことができる。さらに、取り外した中仕切部20を本体部２の上に置いて、屋根として使用することもできる。
【００３３】
また、パーティション１は、は、４枚の壁部３が相互に折畳み可能に接合され、４枚の壁部３は、湾曲した略矩形状の可撓性幕４の外周縁にフレーム挿通部４ｅが形成され弾性に富んだ無端フレーム５が前記フレーム挿通部４ｅに挿入されることにより形成されている本体部２と、可撓性幕22の外周縁に無端フレーム23が挿通された中仕切部20からなるので、本体部２から中仕切部20を取り外し、それぞれ図１０ないし図１６に示されるような下記の作業により厚円盤状に折畳むことができる。
【００３４】
具体的には、本体部２から中仕切部20を取り外し、図１０に示されるように、本体部２の連結された壁部３の側縁のうちの１つの側縁を、該側縁の対角に位置する側縁に向けて押し込み、壁部３を重ねあわせる。図１０においては、前壁部３ａと右壁部３ｂの接合部14を、対角となる後壁部３ｃ左壁部３ｄとの連結に向けて押し込んで、前壁部３ａと左壁部３ｄ、右壁部３ｂと後壁部３ｃを重ねあわせている。
【００３５】
その後、図１１に示されるように、さらに４枚の壁部３を重ねあわせる。そして、この重ねあわされた壁部の対向する一対の長尺辺を中央部分で湾曲させ（図１２参照）、一対の長尺辺の湾曲した中央部分ｍ，ｍ´を近づけ（図１３参照）、さらに行き違いにして遠ざけるようにして開くと、図１４に示されるように、枠部が２ヶ所で交叉して連続した３つのループＬ１，Ｌ２，Ｌ３が形成される。その一端のループＬ１を中央のループＬ２に屈曲させて重ね（図１５参照）、重ねられた２つのループＬ１，Ｌ２をさらに残りのループＬ３に屈曲して重ねることで、図１６に示されるように、偏平円板状に折り畳まれる。中仕切部20も同様に、二つに折り曲げた後、ループを重ねて偏平円盤状に畳むことができる。このように偏平円板状にコンパクトに折り畳まれた本体部２と中仕切部20からなるパーティション１は、持ち運びや収納に便利なように、図１６に示されるように、円形袋状の収納袋32に収納される。
【００３６】
また、逆に折り畳まれたパーティション１を展開する場合は、本体部２のループＬ１，Ｌ２とループＬ３とを互いに開くようにすると、後は無端フレーム５の弾性復元力により自動的に展開して図１１に示される状態にまで展開するので、その後は２枚ずつの壁部に開き（図１０参照）、さらに４枚の壁部３ａ、３ｂ、３ｃ、３ｄを真四角に展開すれば、図９に示すような状態の本体部２に展開される。また中仕切部20も同様に展開して、本体部２の内部の被着脱部15に取り付けることで、パーティション１が簡単に組み立てられる。
【００３７】
本実施の形態のパーティション１は前記したように構成されているので、本体部２の内部に中仕切部20を取付けることができるので、パーティション１内を仕切って使用することが可能となり、１つのパーティション１に複数名が割り当てられても、相互のプライバシーを確保し居住性を向上させることができる。さらに１つのパーティション１に複数の世帯等を割り当てることができるので、限られた避難所のスペースを有効に活用することができる。さらに、中仕切部20は、本体部２から容易に取り外すことができるので、パーティション１内を広く使用したい場合にも容易に対応することができる。
【００３８】
さらに、本体部２の壁部３のうち、前壁部３ａは２つの開閉扉10を備えており、この開閉扉壁部である前壁部３ａと、開閉壁部に対向する対向壁部である後壁部３ｃは、被着脱部15を備えているので、中仕切部20の着脱部25を、一対の左開閉扉10ａと右開閉扉10ｂの間に取り付けることができるので、パーティション１内の仕切られたそれぞれのスペースＳ１と、スペースＳ２とに、他のスペースを通ることなく出入りすることができ、よりプライバシーの向上を図ることができる。
【００３９】
また、本体部２は角部４ｄが湾曲した矩形状の可撓性幕４の外周縁に弾性変形可能な無端フレーム５が付設された壁部３が相互に順次連結した筒状であり、中仕切部20は角部20ｄが湾曲した矩形状であり、仕切壁部21が弾性変形可能な無端フレーム23が付設されて構成されているので、パーティション１を使用しないときには、本体部２と中仕切部20の両方を容易に折り畳み収納することができ、コンパクトに収納することができる。
【００４０】
また、被着脱部15は、少なくともその一部が、壁部３の幅方向において、左開閉扉10ａと右開閉扉10ｂとの間に位置して、本体部２に取り付けられているので、左開閉扉10ａと右開閉扉10ｂとの間に位置して中仕切部20を取り付けることが可能となり、中仕切部20で仕切られたそれぞれのスペースＳ１、Ｓ２に独立して開閉扉10を設けることができる。
【００４１】
さらに、被着脱部15は、開閉扉壁部である前壁部３ａおよび対向壁部である後壁部３ｃの上部および下部に配置され、着脱部25は、中仕切部20の両側縁部20ｃの上部および下部に配置されているので、中仕切部20の上部と下部を、前壁部３ａおよび後壁部３ｃのそれぞれの上部および下部に取付けることができるので、中仕切部20を本体部２に確実に取り付けることができるとともに、パーティション１内仕切られたスペースのプライバシーをより確保することが可能となる。さらに、クリップ等の固定部材26が、着脱部25と被着脱部15が重ねあわされた部分に取付けられるので、着脱部25と被着脱部15がより強固に固定される。
【００４２】
以上、本発明の実施の形態について詳細に説明したが、本発明は前記した実施の形態に限定されるものではなく、その他種々の変更が可能である。本実施形態のパーティション１では、本体部２の被着脱部15および中仕切部20の着脱部25には、面ファスナーが用いられていたが、面ファスナーでなくとも、中仕切部20が本体部２から取付取り外しが可能であれば、他の手段を用いてもよい。
【符号の説明】
【００４３】
１…パーティション、２…本体部、３…壁部、３ａ…前壁部、３ｂ…右壁部、３ｃ…後壁部、３ｄ…後壁部、４…可撓性幕、５…無端フレーム、６…上閉塞布、７…下閉塞布、８…アンカー連結片、９…シート固定部、10…開閉扉、11…ファスナー切断縁、12…ファスナー、13…スライダー、14…接合部、15…被着脱部、
20…中仕切部、21…仕切壁部、22…可撓性幕、23…無端フレーム、24…仕切布部、25…着脱部、26…固定部材、
Ｓ１…スペース、Ｓ２…スペース。
【要約】      （修正有）【課題】内部を仕切り、複数名の居住者のプライバシーを確保し居住性を向上させ、１つのパーティションに複数の世帯等を割り当てることを可能として避難所のスペースを有効に活用できるパーティションを提供する。【解決手段】角部が湾曲した可撓性幕４の外周縁に弾性変形可能な無端フレームが付設された壁部３が相互に順次連結された筒状の本体部２と、角部が湾曲した矩形状の可撓性幕の外周縁に弾性変形可能な無端フレームが付設され本体部２の内部を仕切り本体部２に着脱される中仕切部２０とを備え、中仕切部２０は、両側縁部に本体部２に着脱可能な着脱部２５を備え、壁部３の内少なくとも１つの壁部３ａは、複数の開閉扉１０を備えた開閉扉壁部３ａであり、開閉扉壁部３ａと、開閉扉壁部３ａに対して向かい合う対向壁部３ｃとは、中仕切部２０に設けられた着脱部２５が着脱される被着脱部１５を備える。【選択図】図１【図１】
0005937264.tif 000002
【図２】
0005937264.tif 000003
【図３】
0005937264.tif 000004
【図４】
0005937264.tif 000005
【図５】
0005937264.tif 000006
【図６】
0005937264.tif 000007
【図７】
0005937264.tif 000008
【図８】
0005937264.tif 000009
【図９】
0005937264.tif 000010
【図１０】
0005937264.tif 000011
【図１１】
0005937264.tif 000012
【図１２】
0005937264.tif 000013
【図１３】
0005937264.tif 000014
【図１４】
0005937264.tif 000015
【図１５】
0005937264.tif 000016
【図１６】
0005937264.tif 000017